(57)【特許請求の範囲】
【請求項１】
多色画像入力手段を使用して所望の画像を読み取り、得られた画像データを刺繍縫いデータに変換して多色縫いをするための刺繍模様複数段階入力装置であって、
複数の色で複数部分に塗り分けられた原画を各色毎に複数段階で前記多色画像入力手段により読み取らせた画像データを該色に関連して記憶する手段と、
前記画像データの各色に対する任意の縫い色を指定する手段と、
前記画像データを縫い目データに変換する手段と、
該変換された縫い目データを前記指定された縫い色に関連して記憶する手段と、
を備えたことを特徴とする多色画像入力装置を備えた刺繍模様複数段階入力装置。
【請求項２】
前記読み取った画像データと、前記指定する手段により指定した縫い色とに基づいて縫い画像を表示する手段、
を更に備えた請求項１に記載の多色画像入力装置を備えた刺繍模様複数段階入力装置。
【請求項３】
前記指定する手段が各原色の比率を指定することにより、任意の色を指定できる、
請求項１又は請求項２に記載の多色画像入力装置を備えた刺繍模様複数段階入力装置。
【発明の詳細な説明】
【０００１】
【産業上の利用分野】
この発明は多色画像入力装置を備えた刺繍模様複数段階入力装置に関し、フルカラータイプのイメージスキャナ等により多色の色情報と画像情報とを合わせて入力し、これを縫い目データに変換する装置に関する。
【０００２】
【従来の技術】
刺繍縫いミシンの刺繍模様データを作成するに際し、原画をイメージスキャナ等の画像入力手段により取り込んで、これを刺繍縫いデータに変換する刺繍模様入力装置が知られている。そして、多色の模様などを得たい場合には、原画を色彩毎に複数枚用意し、その原画の位置を合せて各原画毎に画像入力装置により複数段階読み込んで、それぞれの段階の色を指定し、ミシンにより刺繍縫いする際に、読み込んだ段階毎に糸をかえて多色の刺繍縫いを実現する技術が既に提案され実現されている。
【０００３】
【発明が解決しようとする課題】
しかし、色彩毎に原画を複数枚用意し、しかもその位置合せをして読み取らせるのはユーザにとって多大な負担であり、作業が面倒である欠点があった。
本発明は上記した従来技術の問題点を解決することを目的とする。
【０００４】
【課題を解決するための手段】
上記目的を達成するために本発明の多色画像入力装置を備えた刺繍模様複数段階入力装置は、多色画像入力手段を使用して所望の画像を読み取り、得られた画像データを刺繍縫いデータに変換して多色縫いをするための刺繍模様複数段階入力装置であって、複数の色で複数部分に塗り分けられた原画を各色毎に複数段階で前記多色画像入力手段により読み取らせた画像データを該色に関連して記憶する手段と、前記画像データの各色に対する任意の縫い色を指定する手段と、前記画像データを縫い目データに変換する手段と、該変換された縫い目データを前記指定された縫い色に関連して記憶する手段と、を備えたことを特徴とする。
【０００５】
【作用】
多色画像入力手段により複数の色で複数部分に塗り分けられた原画が各色毎に複数段階で読み取られ、この画像データは該色に関連して記憶する手段に記憶される。操作者は縫い色を指定する手段により前記画像データの各色に対する任意の縫い色を指定する。また前記画像デーを縫い目データに変換する手段により縫い目データに変換される。この変換された縫い目データは前記指定された縫い色に関連して記憶する手段に記憶される。
【０００６】
【実施例】
以下本発明の実施例を図面に基づいて説明する。
図１において、この刺繍模様複数段階入力装置Ｘは、多色画像入力手段としてフルカラータイプのイメージスキャナ２を備えている。このイメージスキャナ２は入力装置本体Ａに接続され、これにより読み取られた画像データは図２に示す中央演算処理装置１に入力されるように構成されている。
【０００７】
入力装置本体Ａにはガイド２４が備えられており、このガイド２４上に設定された原画載置部２５上に多色の模様の原画を載置してイメージスキャナ２を該原画上を走行させることにより原画の画像を読み取るようになっている。このようなガイド２４を用いないでフリーに原画上を走行させて画像を読み取らせることも可能である。
なお、２０は画像読み取りを行うためのスキャナボタン、２１は読み取りの濃淡を調整するスキャナダイヤル、３１は後述する種々の表示を行う液晶表示器、３２は縫い目データ記憶手段６のＲＡＭカード取出しボタン、３３は電源スイッチである。
【０００８】
入力装置本体Ａには図３に示すように読取キー５０、記憶キー５１、読取色数入力キー５２、読取色選定キー５３、縫い色指定キー５４及びＲＧＢ入力キー５５等の複数のファンクションキーからなる操作指令部５が設けられており、操作者がこれらのキーを操作して、イメージスキャナ２を原画上を走行させることにより画像を読み取らせるようになっている。
即ち操作者が読取キー５０を操作すると、中央演算処理装置１が読み取りモードとなり、次いで原画の色の数を読取色数入力キー５２により入力するとその色数信号が読取色数入力手段３に入力して色数が設定される。更に読取色選定キー５３を操作して読み取る色を選定すると読取色選定手段４により読取色の指定がなされ、該信号が中央演算処理装置１に送られ、該選定色の読み取りモードとなる。この時選定された色を液晶表示器３１にカラー表示して、選定色を確認できるようになっている。
上記操作を行った上で、イメージスキャナ２のスキャナボタン２０を押しながらイメージスキャナ２を原画載置部２５上の原画上を走行させることにより、該原画の選定された読取色の画像がイメージスキャナ２に読み取られるようになっている。そして、読取色選定キー５３を再度操作して次に読み取る色を指定してカラー表示を確認の上、同様に原画上をイメージスキャナ２を走行させることにより次の色の画像がイメージスキャナ２に読み取られる。このような操作を色の数だけ繰り返せば、同一の原画を用いて色毎に画像を読み取り、色毎の画像データを得ることが出来るようになっている。
読み取られた画像データは順次中央演算処理装置１に送られ、中央演算処理装置１は該画像データを画像データ記憶手段１１に記憶させるように構成されている。この時、該画像データは読取色選定手段４により選定された原画の色と対応づけされて記憶される。
【０００９】
縫い色指定キー５４は実際に縫う時の色を指定するためのキーであり、このキーを操作することにより縫い色指定手段７が読取色毎に対応して記憶された画像データの実際の縫い色を指定するように構成されている。いま例えば、図６に示すような桃、黄、紫、緑、の各色を有する原画をイメージスキャナ２により４段階で読み取り、該色毎に画像データ記憶手段１１に記憶されているとする。ここで、図６の色を実際の縫い色としては図７のように変更したいとするとすると、縫い色指定キー５４を操作して縫い色指定手段７により各画像データの実際の縫い色を指定できるようになっている。図６及び図７の例では、原画の黄色を白に、紫を黄色に、桃を赤、緑を緑にそれぞれ縫い色として指定している。
【００１０】
この縫い色指定手段７の指定後に、記憶キー５１が操作されると、中央演算処理装置１は縫い目データ変換プログラム記憶手段１０からのプログラム命令に従って、画像データ記憶手段１１に記憶された画像データをミシンの刺繍模様の縫い目データ及び表示データに変換した上で、該指定縫い色と縫い目データ及び表示データとを対応づけて縫い目データ記憶手段６に入力するようになっている。該表示データはミシン本体の表示部における画像表示に用いられる。
【００１１】
縫い目データ記憶手段６はこの実施例ではＲＡＭカードになっており、図１に示すように入力装置本体ＡのＲＡＭカードスロット３０に装脱着可能になっている。縫い目データを記憶した縫い目データ記憶手段６を入力装置本体Ａから取り外して、これを図５に示す刺繍ミシン本体ＹのＲＡＭカード読取部３５に装着すれば、該縫い目データ記憶手段６に記憶された刺繍模様の縫い目に従い、且つ指定された縫い色に従って刺繍ミシン本体Ｙが作動し、前記原画と同一の模様で縫い色指定手段７により指定された色彩の模様が刺繍縫い目として実現できるように構成されている。また前記したように表示データにより、色つきの画像が本体Ｙの表示部に所定の操作で表示され、模様の選択等を行えるようになっている。
【００１２】
なお、この実施例では画像表示手段８が備えられており、ここで縫い色指定キー５４により指定された縫い色に基づいて画像データ記憶手段１１に格納された画像データを液晶表示器３１に送って、入力装置本体Ａにおいても画像のカラー表示するようになっている。この表示をみながら、操作者は色の指定及び指定変更が出来るようになっている。
更に縫い色指定手段７は図３に示すようにＲＧＢ入力キー５５を備えており、縫い色の指定の際に３原色を個々に入力することにより所望の色を合成し、これを画像表示手段８により液晶表示器３１に表示しつつ指定できるようになっている。これにより、色指定の自由度が向上し、自由な色のデザインを行える利点がある。
【００１３】
図４により、動作を説明する。
操作者が入力装置本体Ａの読取キー５０を押し、読取色数入力キー５２を押して色数Ｎを設定すると（ステップ６０）、中央演算処理装置１は色数カウンタＮｉ＝１と置く（ステップ６１）。次いで操作者の読取色選定キー５３の操作により読取色を選定する（ステップ６２）。そしてイメージスキャナ２のスキャナボタン２０を押しながらイメージスキャナ２を原画上を走行させると、イメージスキャナ２は原画の選定された読取色部分を順次読み込んで、その画像データを中央演算処理装置１に送る（ステップ６３）。この画像データは該読取色コードと関連付けられて画像データ記憶手段１１に記憶される（ステップ６４）。中央演算処理装置１は色数カウンタを１増加させ（ステップ６５）、設定した色数が終了するまで、各色毎に読み取りを実行させる（ステップ６６）。
【００１４】
全色に関して読み取りが完了したら、縫い色指定キー５４の操作に応じて縫い色の指定を実行する（ステップ６７）。例えば、前記した図６及び図７の例では読取色黄色に対して指定縫い色が白、紫に対して黄色、桃色に対して赤、緑に対して緑と指定を実行する。この際ＲＧＢ入力キー５５により任意の色を指定しても良い。この指定された色に基づいて、画像表示手段８は画像データ記憶手段１１の画像データを液晶表示器３１に送ってカラー表示する（ステップ６８）。操作者が該指定色を確認後（ステップ６９）、記憶キー５１を操作したら、中央演算処理装置１は縫い目データ変換プログラム記憶手段１０のプログラムに従って、画像データ記憶手段１１に格納したデータを縫い目データ及び表示データに変換して（ステップ７０）、この縫い目データ及び表示データを指定された縫い色に対応させて縫い目データ記憶手段６に格納する（ステップ７１）。
以上により、色付きの１枚の原画から任意の色を指定した色付きの画像の縫い目データを得ることができる。
【００１５】
次に上記実施例の装置の使用方法を説明する。
最初に電源スイッチ３３をオンした後、ＲＡＭカードスロット３０に縫い目データ記憶手段６を装入しておく。そして、読取色数入力キー５２を押して色数を設定し、読取色選定キー５３を操作してイメージスキャナ２により読み取るべき色を選定する。そして色付きの原画を用意し、ガイド２４の原画載置部２５（或いは他の適所）に原画を置き、図３に示すようにガイド２４の上端にイメージスキャナ２を置き読取キー５０を操作した上で、スキャナボタン２０を押しながらイメージスキャナ２を下端まで移動させる。これにより画像読取部２２が原画載置部２５の上を上端から下端まで走査して原画載置部２５上の原画の画像の中の選定された色部分の画像を読み取る。そして同一の操作を色毎に色数だけ繰り返す。
【００１６】
イメージスキャナ２による読み取りが完了したら、縫い色指定キー５４を操作して各読取色に対する縫い色の指定を行う。この時液晶表示器３１に該指定色の画像が表示されるから、具体的な色付き画像を見ながら、色の指定及び変更などが可能である。またＲＧＢ入力キー５５により任意の色を指定することも可能である。
縫い色指定が終わったら、記憶キー５１を押すことにより画像データは縫い目データと表示データに変換され、且つ指定色と対応づけられて縫い目データ記憶手段６に格納される。
全ての段階が終了したら、操作者はＲＡＭカード取出しボタン３２を押して、縫い目データ記憶手段６を入力装置本体Ａから取り出し、刺繍ミシン本体ＹのＲＡＭカード読取部３５に縫い目データ記憶手段６を装着して刺繍ミシン本体Ｙを操作することにより多色の原画に対応した画像を指定した縫い色で刺繍模様縫いを行うことができる。この際、ミシン本体Ｙの表示部には、所定の操作により表示データに基づく色付きの画像表示がなされて、具体的なカラー画像をみながら、模様選択を行うことができる。
【００１７】
なお、上記実施例では読取色数入力手段３、読取色選定手段４、縫い色指定手段７、画像表示手段８等を中央演算処理装置１と独立して構成しているが、これに限定されるものではなく、中央演算処理装置１と一体的に構成することも可能である。
【００１８】
また上記実施例では刺繍模様複数段階入力装置Ｘが刺繍ミシン本体Ｙとは別体に構成されているものについて説明したが、ガイド２４、原画載置部２５を除く入力装置本体Ａを刺繍ミシン本体Ｙに組み込み、イメージスキャナ２を刺繍ミシン本体Ｙに接続するように構成することも可能である。この場合縫い目データ記憶手段６を上記実施例と同様に挿脱可能なカード型に構成することも可能であるし、また刺繍ミシン本体Ｙに内蔵されたメモリとして構成することも可能である。
【００１９】
【発明の効果】
以上説明したように本発明の多色画像入力装置を備えた刺繍模様複数段階入力装置は、多色画像入力手段を使用して所望の画像を読み取り、得られた画像データを刺繍縫いデータに変換して多色縫いをするための刺繍模様複数段階入力装置であって、複数の色で複数部分に塗り分けられた原画を各色毎に複数段階で前記多色画像入力手段により読み取らせた画像データを該色に関連して記憶する手段と、前記画像データの各色に対する任意の縫い色を指定する手段と、前記画像データを縫い目データに変換する手段と、該変換された縫い目データを前記指定された縫い色に関連して記憶する手段とを備えているため、色毎に異なる複数の原画を用意し、これらの位置合せを行う必要がなく、多色の原画１枚を単純に複数回読み取ることにより、縫い目データを作成できる。しかも、縫い色は原画の色に拘束されることなく、所望の色を指定できる効果がある。
【図面の簡単な説明】
【図１】本発明の一実施例の外観を示す斜視図。
【図２】本発明の一実施例の構成を示す機能ブロック図。
【図３】本発明の一実施例における原画載置部２５を示す部分拡大図。
【図４】本発明の一実施例の動作を示すフローチャート図。
【図５】本発明の一実施例における縫い目データ記憶手段６が装着されるミシンの外観図。
【図６】本発明の一実施例における原画の色と指定色の関係の説明図。
【図７】指定色により表示された画像の一例の説明図。
【符号の説明】
１：中央演算処理装置、２：イメージスキャナ、３：読取色数入力手段、４：読取色選定手段、５：操作指令部、６：縫い目データ記憶手段、７：縫い色指定手段、８：画像表示手段、１０：縫い目データ変換プログラム記憶手段、１１：画像データ記憶手段、２０：スキャナボタン、２１：スキャナダイヤル、２４：ガイド、２５：原画載置部、２６：目盛、３０：ＲＡＭカードスロット、３１：液晶表示器、３２：ＲＡＭカード取出しボタン、３３：電源スイッチ、３５：ＲＡＭカード読取部、５０：読取キー、５１：記憶キー、５２：読取色数入力キー、５３：読取色選定キー、５４：ＲＧＢ入力キー。
【図１】
0003761900.tif 000002
【図５】
0003761900.tif 000003
【図２】
0003761900.tif 000004
【図３】
0003761900.tif 000005
【図４】
0003761900.tif 000006
【図６】
0003761900.tif 000007
【図７】
0003761900.tif 000008